(57)【要約】【課題】  基板ケースとの隙間を無くして不正行為を防止するコネクタ接続装置を提供する。【解決手段】  コネクタ接続装置３１は、接続コード３０の一端に取り付けられたケーブル側コネクタ３２と、主制御基板ケース２５に取り付けられた基板側コネクタ３３とからなる。ケーブル側コネクタ３２の内部には、接続コード３０に接続されたケーブル側端子３６が収納されており、基板側コネクタ３３の内部には、主制御基板１５に接続された基板側端子３７が収納されている。ケーブル側コネクタ３２には、Ｌ字状のラッチ片４１が一体に形成され、基板側コネクタ３３には、ラッチ片４１を係止する係止部４２が一体に形成されている。基板側コネクタ３３にケーブル側コネクタ３２を嵌合させ、且つラッチ片４１を係止部４２に係止させて抜け止め状態として接続コード３０と主制御基板１５とを接続状態とする。【選択図】        図４
2006247050.tif 000002
【特許請求の範囲】
【請求項１】
基板ケースの内部に固定して収納された回路基板の基板側端子と電気ケーブルに取り付けられたケーブル側端子との接続が保たれるように、ケーブル側コネクタを基板側コネクタに係止して保持するコネクタ接続装置において、
前記基板ケースに前記ケーブル側コネクタが挿入される開口を設けるとともに、前記ケーブル側コネクタに設けられたラッチ片に係合してケーブル側コネクタを抜け止めする係止部を設けた基板側コネクタを前記開口の位置に合わせて前記基板ケースに固定したことを特徴とするコネクタ接続装置。
【請求項２】
前記ラッチ片は、前記基板側コネクタと嵌合する嵌合方向に沿って延びる挿入部と、前記ケーブル側コネクタと前記挿入部との間を連結する連結部と、前記挿入部の先端部から前記嵌合方向と略直交する方向に沿って前記ケーブル側コネクタに対して離反する方向へ突出する被係止爪とが一体に形成されており、前記基板側コネクタは、前記挿入部及び前記被係止爪が挿入される挿入穴と、前記被係止爪を係止する係止面とが形成されていることを特徴とする請求項１記載のコネクタ接続装置。
【請求項３】
前記挿入部は、前記挿入穴への挿入方向後端側の位置から前記挿入方向とは反対の方向へ突出する鍔部が一体に形成され、前記ケーブル側コネクタが前記基板側コネクタと嵌合したときに、前記鍔部が前記基板ケースの外部に位置するように形成されており、前記ケーブル側コネクタに対して離反する方向へ前記鍔部を押圧することにより前記連結部を支点にして前記挿入部をケーブル側コネクタへ向かって撓ませると前記係止面による前記被係止爪の係止が解除されることを特徴とする請求項２記載のコネクタ接続装置。
【請求項４】
前記連結部は、前記ケーブル側コネクタから前記挿入部へと屈曲する屈曲連結部となっており、前記ケーブル側コネクタが前記基板側コネクタと嵌合したときに、前記屈曲連結部が前記基板ケースの外部に位置するように形成されており、前記屈曲連結部を支点にして前記挿入部をケーブル側コネクタへ向かって撓ませると前記係止面による前記被係止爪の係止が解除されることを特徴とする請求項２記載のコネクタ接続装置。
【請求項５】
前記基板側コネクタは、前記基板ケースの内側に形成された嵌合部に外周面を嵌合させて前記基板ケースに固定されていることを特徴とする請求項１ないし４いずれか記載のコネクタ接続装置。
【発明の詳細な説明】
【技術分野】
【０００１】
本発明は、パチンコ店等の遊技場に設置されるパチンコ、スロットマシン等の遊技機に用いられるコネクタ接続装置に関するものである。
【背景技術】
【０００２】
現在、遊技場に設置されるパチンコ機やスロットマシン等の遊技機は、パチンコ球やメダル等の遊技媒体に一定の価値が与えられて、ゲームを行って獲得した遊技媒体を種々の景品に交換することができる。遊技機には、その内部に、遊技媒体の供給に基づいて作動させるランプ装置や音声発生装置などの様々な各種駆動装置と、これら駆動装置を制御するための主制御回路基板及び副制御回路基板とを備えており、遊技者が遊技を行う際にこれらを適宜作動させることによって遊技を興趣に溢れたものとしている。また、近年では、所定の識別情報（図柄）を変動表示し得るリール表示装置または液晶画像表示装置等の図柄可変表示装置を内蔵し、所定条件を満たしたときに識別情報を変動させた後に停止表示させるように図柄可変表示装置を作動させるものが主流となっている。これらの装置は主制御回路基板及び副制御回路基板によって制御されている。
【０００３】
主制御回路基板は、メインＣＰＵ（ｃｅｎｔｒａｌ  ｐｒｏｃｅｓｓｉｎｇ  ｕｎｉｔ）及びメインＲＯＭ（ｒｅａｄ  ｏｎｌｙ  ｍｅｍｏｒｙ）を備え、メインＣＰＵは、メインＲＯＭに記憶されている遊技制御プログラムを読み込んでパチンコ機の遊技状態を制御する命令を生成すると共に、副制御回路基板に命令情報を送信して所定の遊技状態となるように実行させており、主制御回路基板と副制御回路基板とは、電気ケーブルにより電気信号（命令情報）の通信が可能になるように接続されている。
【０００４】
一方、このようなパチンコ機では、主制御回路基板からメインＲＯＭを取り外し、大当たりが容易に発生する遊技制御プログラムが格納された不正な記憶媒体を取り付けるという不正行為が行われることがある。そこで、このような不正行為を防ぐために上述したような主制御回路基板や副制御回路基板を収納ケースに収納し、密封された状態でパチンコ機に組み込まれることが一般的である。
【０００５】
また、パチンコ機では、主制御回路基板と副制御回路基板との通信を行うことから両者の間を電気ケーブルで接続しなければならないため、電気ケーブル側のコネクタと、回路基板側のコネクタとを接続するコネクタ接続装置を備えており、これらを接続させて回路基板と電気ケーブルとを電気的に接続する。図１２は、このような主制御回路基板と電気ケーブルとを接続する従来のコネクタ接続装置の構成を示すものである。このコネクタ接続装置１００は、電気ケーブル１１０の一端に固着されたケーブル側コネクタ１０１と、回路基板１２０に固着された基板側コネクタ１０２とを接続するものであり、回路基板１２０を収納する基板ケース１３０には、開口１３１が形成され、さらにケーブル側コネクタ１０１には、下方部から略Ｌ字状に屈曲し、先端側が上方へ延びるラッチ片１０５が一体に形成されており、開口１３１を通してケーブル側コネクタ１０１を基板側コネクタ１０２に嵌合させるとともに、ラッチ片１０５の先端に位置する被係止爪１０５ａが、基板側コネクタ１０２と一体に形成された係止部１０６に係止されることによって、ケーブル側コネクタ１０１を抜け止めする。
【特許文献１】特開２００１−２７６３８５
【発明の開示】
【発明が解決しようとする課題】
【０００６】
しかしながら、上述したような従来のコネクタ接続装置１００では、基板ケース１３０の開口１３１の周囲に隙間を有しており、この隙間から棒状の器具を挿入し、内部の回路基板への不正行為が行われることがあった。特にケーブル側コネクタ１０１の被係止爪１０５ａへの係止を解除するために、ラッチ片１０５を撓ませた状態（２点鎖線で示す位置）に変形させる必要があり、このラッチ片１０５を撓ませるストロークを得るためにその周囲に隙間が必要となるため、このラッチ片１０５と開口１３１との隙間から器具を挿入され、不正行為が行われることが多かった。
【０００７】
本発明は、上記課題を解決するためになされたもので、基板ケースとの隙間を無くして密着させ、不正行為を防止することが可能なコネクタ接続装置を提供することを目的とする。
【課題を解決するための手段】
【０００８】
上記目的を達成するために、本発明のコネクタ接続装置は、基板ケースの内部に固定して収納された回路基板の基板側端子と電気ケーブルに取り付けられたケーブル側端子との接続が保たれるように、ケーブル側コネクタを基板側コネクタに係止して保持するコネクタ接続装置において、前記基板ケースに前記ケーブル側コネクタが挿入される開口を設けるとともに、前記ケーブル側コネクタに設けられたラッチ片に係合してケーブル側コネクタを抜け止めする係止部を設けた基板側コネクタを前記開口の位置に合わせて前記基板ケースに固定したことを特徴とする。
【０００９】
なお、前記ラッチ片は、前記基板側コネクタと嵌合する嵌合方向に沿って延びる挿入部と、前記ケーブル側コネクタと前記挿入部との間を連結する連結部と、前記挿入部の先端部から前記嵌合方向と略直交する方向に沿って前記ケーブル側コネクタに対して離反する方向へ突出する被係止爪とが一体に形成されており、前記基板側コネクタは、前記挿入部及び前記被係止爪が挿入される挿入穴と、前記被係止爪を係止する係止面とが形成されていることを特徴とする。
【００１０】
また、前記挿入部は、前記挿入穴への挿入方向後端側の位置から前記挿入方向とは反対の方向へ突出する鍔部が一体に形成され、前記ケーブル側コネクタが前記基板側コネクタと嵌合したときに、前記鍔部が前記基板ケースの外部に位置するように形成されており、前記ケーブル側コネクタに対して離反する方向へ前記鍔部を押圧することにより前記連結部を支点にして前記挿入部をケーブル側コネクタへ向かって撓ませると前記係止面による前記被係止爪の係止が解除されることを特徴とする。さらにまた、前記連結部は、前記ケーブル側コネクタから前記挿入部へと屈曲する屈曲連結部となっており、前記ケーブル側コネクタが前記基板側コネクタと嵌合したときに、前記屈曲連結部が前記基板ケースの外部に位置するように形成されており、前記屈曲連結部を支点にして前記挿入部をケーブル側コネクタへ向かって撓ませると前記係止面による前記被係止爪の係止が解除されることを特徴とする。あるいは、前記基板側コネクタは、前記基板ケースの内側に形成された嵌合部に外周面を嵌合させて前記基板ケースに固定されていることを特徴とする。
【発明の効果】
【００１１】
本発明によれば、前記基板ケースに前記ケーブル側コネクタが挿入される開口を設けるとともに、前記ケーブル側コネクタに設けられたラッチ片に係合してケーブル側コネクタを抜け止めする係止部を設けた基板側コネクタを前記開口の位置に合わせて前記基板ケースに固定したので、基板側コネクタと開口との隙間を少なくし、棒状器具の挿入を防ぐことができるので、ＲＯＭ交換などの不正行為を防止することができる。
【００１２】
さらに、前記ラッチ片は、前記基板側コネクタと嵌合する嵌合方向に沿って延びる挿入部と、前記ケーブル側コネクタと前記挿入部との間を連結する連結部と、前記挿入部の先端部から前記嵌合方向と略直交する方向に沿って前記ケーブル側コネクタに対して離反する方向へ突出する被係止爪とが一体に形成されており、前記基板側コネクタは、前記挿入部及び前記被係止爪が挿入される挿入穴と、前記被係止爪を係止する係止面とが形成されているので、基板ケースの開口周辺の隙間をさらに無くすことが可能となる。
【００１３】
また、前記挿入部は、前記挿入穴への挿入方向後端側の位置から前記挿入方向とは反対の方向へ突出する鍔部が一体に形成され、前記ケーブル側コネクタが前記基板側コネクタと嵌合したときに、前記鍔部が前記基板ケースの外部に位置するように形成されており、前記ケーブル側コネクタに対して離反する方向へ前記鍔部を押圧することにより前記連結部を支点にして前記挿入部をケーブル側コネクタへ向かって撓ませると前記係止面による前記被係止爪の係止が解除されるようにしているので、鍔部が開口との隙間を埋めて、不正行為を防ぐ効果を高めている。
【００１４】
さらにまた、前記連結部は、前記ケーブル側コネクタから前記挿入部へと屈曲する屈曲連結部となっており、前記ケーブル側コネクタが前記基板側コネクタと嵌合したときに、前記屈曲連結部が前記基板ケースの外部に位置するように形成されており、前記屈曲連結部を支点にして前記挿入部をケーブル側コネクタへ向かって撓ませると前記係止面による前記被係止爪の係止が解除されるようにしているので、ラッチ片と基板ケースとの隙間を無くして不正行為を防ぐ効果を高めることができる。
【００１５】
あるいは、前記基板側コネクタは、前記基板ケースの内側に形成された嵌合部に外周面を嵌合させて前記基板ケースに固定されているので、基板側コネクタと基板ケースとが密着し、さらに隙間を無くすことができる。
【発明を実施するための最良の形態】
【００１６】
図１に示すように、本発明を用いた遊技機の１実施例であるパチンコ機２は、本体枠３の内部に遊技盤４が配設されており、遊技盤４の前面には前面扉５が本体枠３に対して開閉自在に設けられている。前面扉５の下方には、打球供給用の供給皿６が設けられ、この供給皿６の下方であり、前面扉５の右側部には、パチンコ球７の打ち出し強さを調節する操作ハンドル８が設けられている。遊技盤４のパチンコ球７が打ち出される遊技領域４ａの略中央には、予め定められた入賞口へパチンコ球を入賞させるなどの所定入賞条件に基づいて遊技中に様々な図柄を液晶画面に所定時間内において変動表示させた後に停止表示させる図柄可変表示装置９が配置され、その周りには始動入賞口１０、通常入賞口１１、アタッカ１２、アウト口１３が設けられている。各入賞口１０〜１２内には、各入賞口１０〜１２に入ったパチンコ球７を検知する入賞球検知センサ１４（図９参照）が設けられている。
【００１７】
遊技者は、供給皿６にパチンコ球７を投入してパチンコ球７を供給皿６内に設けられた誘導路を介して球発射装置１７（図９参照）へと導き、回動式の操作ハンドル８を所定量回動して球発射装置１７の駆動を制御することで、遊技盤４の遊技領域４ａの上方に向けてパチンコ球７を打ち出す。打ち出されたパチンコ球７は遊技領域４ａの上方から流下する途中で各入賞口１０〜１２のいずれかに入るか、あるいはアウト口１３から回収される。なお、パチンコ機２の遊技領域４ａに設けられている複数の釘、風車などの構造物は公知であるので説明は省略する。
【００１８】
なお、前面扉５が閉じているロック状態であるときには、遊技者や遊技場の作業者は、前面扉５に板状のガラスが装着されて形成されたガラス窓１９を通して遊技盤４の遊技領域４ａを流下していく遊技球を見ることはできるが、遊技盤４にはもちろんのこと本体枠３の内部にも触れることができないようになっている。
【００１９】
図２にパチンコ機の背面側の外観を示す。パチンコ機２の本体枠３には、本体枠３の内部に設けられた支持部材を介して、遊技を行う際に音声発生装置２１（図９参照）等の各種装置を作動させるための主制御を行う主制御基板（回路基板）１５の他に、副制御基板１６、球発射装置１７、球払出装置１８等がそれぞれ組み付けられている。主制御基板１５は、主制御基板ケース２５に収納されており、副制御基板１６は、副制御基板ケース２６に収納されている。主制御基板ケース２５及び副制御基板ケース２６は、本体枠３の背面の所定位置に取り付けられている。
【００２０】
球発射装置１７は、主制御基板１５に接続されており、主制御基板１５により駆動が制御される。また、本体枠３の内部にはスピーカーなどの音声発生装置２１や、本体枠３及び遊技盤４上の様々な位置にランプ２２（図９参照）が設けられており、音声発生装置２１、ランプ２２は、副制御基板１６に接続されており、副制御基板１６により駆動が制御され、音声発生装置２１から演出効果を持たせた音声を発生させたり、ランプ２２の点灯制御によって演出効果を出すといったことを行う。
【００２１】
本実施形態においては、主制御基板１５と副制御基板１６とが接続コード（電気ケーブル）３０によって接続されており、この接続コード３０が主制御基板ケース２５及び副制御基板ケース２６にそれぞれ固定されている。この接続コード３０を主制御基板ケース２５に固定するコネクタ接続装置の構成について説明する。図３は、主制御基板ケース２５、接続コード３０、及びこれらを接続するコネクタ接続装置３１の外観斜視図であり、図４は、これらの分解斜視図である。なお、副制御基板ケース２６と接続コード３０を接続するコネクタ接続装置も同様の構成であるため、これらの説明は省略する。
【００２２】
コネクタ接続装置３１は、接続コード３０の一端に取り付けられたケーブル側コネクタ３２と、主制御基板ケース２５に取り付けられた基板側コネクタ３３とからなる。ケーブル側コネクタ３２の内部には、接続コード３０に接続されたケーブル側端子３６が収納されており、基板側コネクタ３３の内部には、主制御基板１５に接続された基板側端子３７が収納されている。ケーブル側コネクタ３３は、基板側コネクタ３２によって係止されて保持される。これによって、ケーブル側端子３６と基板側端子３７とが嵌合して電気的な接続が保たれる。
【００２３】
ケーブル側コネクタ３２には、Ｌ字状のラッチ片４１が一体に形成されている。ラッチ片４１は、詳しくは図５に示すように、基板側コネクタ３３と嵌合する嵌合方向Ａに沿って延びる挿入部４１ａと、ケーブル側コネクタ３２から挿入部４１ａへと屈曲し、これらの間を連結する屈曲連結部（連結部）４１ｂと、挿入部４１ａの先端部から嵌合方向Ａと略直交する突出方向Ｂに沿ってケーブル側コネクタ３２に対して離反する方向へ突出する被係止爪４１ｃとを備えている。また、本実施形態においては、ケーブル側コネクタ３２の先端部には、ケーブル側端子３６の外形に合わせた突出部３２ａが複数設けられている。
【００２４】
基板側コネクタ３３には、ラッチ片４１を係止する係止部４２が形成されている。この係止部４２は、略矩形状に形成されており、ラッチ片４１の挿入部４１ａ及び被係止爪４１ｃが挿入される挿入穴４２ａと、被係止爪４１ｃを係止する係止面４２ｂとを有する。さらに、本実施形態においては、基板側コネクタ３３の上面には、ケーブル側コネクタ３２の突出部３２ａに合わせた開口部３３ａが複数設けられており、この開口部３３ａの内部に基板側端子３７の先端部が位置している。この開口部３３ａにケーブル側コネクタ３２の突出部３２ａを嵌合させるとともに、ラッチ片４１を係止部４２で係止させることによって、ケーブル側コネクタ３２を抜け止め状態として、ケーブル側端子３６と基板側端子３７とを接触させて接続状態とする。また、基板側コネクタ３３の側面には、抜け止め突起部４３が一体に形成されている。
【００２５】
主制御基板ケース２５は、図４に示すように、箱体５１と、蓋体５２とから構成されている。箱体５１は、底面側が開放された箱状に形成されており、蓋体５２は平板状に形成され、主制御基板１５が固定されている。
【００２６】
箱体５１は、その天板５１ａにケーブル側コネクタ３２が挿入される露呈開口５５が形成され、さらに天板５１ａの内周面には、基板側コネクタ３３を固定するための嵌合ボス５６が形成されている。露呈開口５５は、ケーブル側コネクタ３２の外形に合わせて形成されている。嵌合ボス５６は、露呈開口５５の周囲に配設されており、その内周面５６ａが、図６に示すように、基板側コネクタ３３の外周面に合わせて形成されている。嵌合ボス５６の内周面５６ａに基板側コネクタ３３を嵌合させて、抜け止め突起部４３を天板５１ａに当接させるまで押し込むと、基板側コネクタ３３を箱体５１に固定することができる。この基板側コネクタ３３が箱体５２に固定される位置は、主制御基板１５に固着された基板側端子３７の位置に合うように嵌合ボス５６の位置が形成されている。
【００２７】
主制御基板ケース２５に主制御基板１５を収納するときには、上述のように箱体５１に基板側コネクタ３３を固定し、且つ基板側端子３７が固着された主制御基板１５を蓋体５２に固定した状態で、蓋体５２を箱体５１の底面側に固定することによって、主制御基板１５が主制御基板ケース２５の内部に固定して収納される。さらに、主制御基板ケース２５に主制御基板１５が収納して固定されたとき、基板側端子３７が基板側コネクタ３３の内部に収納された状態となる。なお、箱体５１と蓋体５２は、例えばネジ止めなどによって固定される。
【００２８】
以下では、コネクタ接続装置３１を接続状態、すなわち主制御基板ケース２５に固定された基板側コネクタ３３に、接続コード３０に取り付けられたケーブル側コネクタ３２を係合させて、主制御基板１５と接続コード３０とを接続するときの状態を説明する。先ず、ケーブル側コネクタ３２の突出部３２ａを基板側コネクタ３３の開口部３３ａの位置に合わせ、且つラッチ片４１を係止部４２の位置に合わせた状態で、ケーブル側コネクタ３２を基板側コネクタ３３の方へ押し込みながら嵌合方向Ａ（図５参照）に沿って嵌合させていく、このとき、ラッチ片４１の挿入部４１ａ及び被係止爪４１ｃを挿入穴４２ａに挿入させる。このとき、被係止爪４１ｃは、係止部４２に当接するが、挿入部４１ａがその弾性によってケーブル側コネクタ３２に近接する方へ撓むので、被係止爪４１ｃは係止部４２を乗り越えて挿入されていく。そして、被係止爪４１ｃが挿入穴４２ａを通過すると、挿入部４１ａが撓んだ状態から元の位置に復帰して、被係止爪４１ｃが係止面４２ｂに係止された状態となる（図８（Ａ）に示す状態）。これによってケーブル側コネクタ３２が基板側コネクタ３３に抜け止めされた状態となり、接続コード３０と主制御基板１５とが接続状態となる。なお、この接続状態となったとき、ラッチ片４１を構成する屈曲連結部４１ｂの少なくとも一部が主制御基板ケース２５の外部に位置するように設けられている。
【００２９】
そして、以下では、コネクタ接続装置３１を解除状態、すなわち、ケーブル側コネクタ３２の抜け止め状態を解除して基板側コネクタ３３から取り外すときの状態を説明する。先ず図８（Ａ）に示すように、ラッチ片４１の被係止爪４１ｃが係止部４２に係止されているのを解除するために、屈曲連結部（連結部）４１ｂを支点にして、詳しくは屈曲連結部（連結部）４１ｂの屈曲点４１ｄを支点にして挿入部４１ａをケーブル側コネクタ３２に対して近接する方向へ押圧してラッチ片４１を撓ませる。なお、このラッチ片４１が撓むときの支点である屈曲点４１ｄは、屈曲連結部４１ｄの水平方向から垂直方向へと折れ曲がるコーナーの中央に位置している。このようにラッチ片４１を撓ませることによって、図８（Ｂ）に示すように、被係止爪４１ｃは被係止部４２の被係止面４２ａから離れて係止が解除された状態となる。このようにして係止が解除されたケーブル側コネクタ３２は、図中上方へ引き抜かれて基板側コネクタ３３から取り外された状態となり、接続コード３０と主制御基板１５との接続も解除された離脱状態となる。
【００３０】
図９に示すように、パチンコ機２の作動は基本的に主制御回路装置１５及び副制御回路装置１６によって管制される。
【００３１】
主制御回路装置１５は、メインＣＰＵ（ｃｅｎｔｒａｌ  ｐｒｏｃｅｓｓｉｎｇ  ｕｎｉｔ）１５ａ及びメインＲＯＭ（ｒｅａｄ  ｏｎｌｙ  ｍｅｍｏｒｙ）１５ｂ及びメインＲＡＭ（ｒａｎｄｏｍ  ａｃｃｅｓｓ  ｍｅｍｏｒｙ）１５ｃを備える。メインＣＰＵ１５ａは、入賞球検知センサ１４から入力される入力信号に応じて、メインＲＯＭ１５ｂに記憶されている遊技制御プログラムを読み込んでパチンコ機の遊技状態を制御する命令を生成すると共に、副制御回路装置１６に命令情報を送信して所定の遊技状態となるように実行させる。メインＲＯＭ１５ｂには、遊技制御プログラムおよび乱数生成処理プログラムおよび乱数テーブルなどが所定の領域に格納されており、これらはメインＣＰＵ１５ａによって読み出され、演算処理されるように適宜用いられる。メインＲＡＭ１５ｃは、ワーキングエリアとなっており、遊技において利用されるデータなどの一時的保管や書き換えなどに用いられる。
【００３２】
副制御回路装置１６は、サブＣＰＵ１６ａ及びサブＲＯＭ１６ｂ及びサブＲＡＭ１６ｃを備える。サブＣＰＵ１６ａは、サブＲＯＭ１６ｂに格納された副制御装置用制御プログラムを適宜読み出し、主制御回路装置１５から命令情報として入力される制御信号（電気信号）に応じて、副制御用制御プログラムに従って副制御回路装置１６と、図柄可変表示装置９及び音声発生装置２１及びランプ２２との間で制御信号の入出力を行い所定の遊技状態となるようにするための駆動制御を行う。サブＲＡＭ１６ｃはワーキングエリアとなっており、図柄可変表示装置９及び音声発生装置２１及びランプ２２の制御において利用されるデータなどの一時的保管や書き換えなどに用いられる。なお、サブＣＰＵ１６ａにより駆動を制御する装置は、図柄可変表示装置９、音声発生装置２１及びランプ２２に限られず、遊技領域４ａに設けた可動式の入賞装置なども含まれることとする。
【００３３】
メインＣＰＵ１５ａは、入賞球検知センサ１４からの信号が入力されると、メインＲＯＭ１５ｂに記憶されている遊技制御プログラムに基づいて、球払出装置１８を駆動して所定個数の賞球を供給皿６上に払い出す。なお、賞球の個数は、遊技球が入った各入賞口１０〜１２の種類に応じて適宜設定して良い。
【００３４】
上記構成の作用について以下に説明する。上述したように主制御基板ケース２５の露呈開口５５は、ケーブル側コネクタ３２の外形に合わせて形成されており、さらに、基板側コネクタ３３を主制御基板ケース２５に固定していることから、コネクタ接続装置３１を接続状態としたときには、ケーブル側コネクタ３２の周囲に隙間が少ない。これによって棒状器具などの進入を防ぐことが可能となり、メインＲＯＭ１５ｂを正規品以外のものに交換するなどの不正行為を防止することができる。また、主制御基板ケース２５の嵌合ボス５６に基板側コネクタ３３を嵌合させて固定させていることも露呈開口５５の周囲の隙間を無くすことに効果を高めている。また、コネクタ接続装置３１を解除状態とするとき、ラッチ片４１の屈曲連結部４１ｂが主制御基板ケース２５の外部に位置しているので、ラッチ片４１を撓ませて係止解除状態とすることが容易であり、簡単にケーブル側コネクタ３２を取り外すことができる。
【００３５】
さらに、上述したようにケーブル側コネクタ３３のラッチ片４１をＬ字状に形成し、このラッチ片４１の被係止爪４１ｃがケーブル側コネクタ３３と離反する方向に沿って突出しているので、このコネクタ接続装置３１を解除状態とするときにラッチ片４１を撓ませるときのストロークは、ラッチ片４１の挿入部４１ａをケーブル側コネクタ３３に対して近接する方向に向かっている。これにより、このラッチ片４１を撓ませるためのストロークを考慮せずに露呈開口５５をケーブル側コネクタ３３の外形に合わせて形成することができるので、より隙間を無くすことが可能となり、不正行為を防止することができる。
【００３６】
また、上記実施形態では、主制御基板１５と副制御基板１６との接続に本発明を実施したが、これに限定されることなく、電気ケーブルと回路基板との接続であれば本発明を実施することができ、例えば、主制御基板１５と球払出装置１８との接続や、副制御基板１６と声発生装置２１との接続や、副制御基板１６とランプ２２との接続等に本発明を実施してもよく、適宜変更されるものである。
【００３７】
なお、上記実施形態においては、ケーブル側コネクタ３２と一体に形成したラッチ片４１の形状を、Ｌ字状でケーブル側コネクタ３２から挿入部４１ａに向かって屈曲する屈曲連結部４１ａを有する形状に形成しているが、本発明はこれに限らず、例えば、図１０に示すような形状にしてもよい。なお、この図１０に示すコネクタ接続装置８０では、ラッチ片の形状のみが上記実施形態と異なっており、上記実施形態と同様の部品及び部材については、同符号を付して説明を省略する。また、図１０は、コネクタ接続装置８０の抜け止めが解除され、基板側コネクタ３３から取り外された離脱状態（図１０（Ａ））と、ケーブル側コネクタ８２が基板側コネクタ３３に抜け止めされた接続状態（図１０（Ｂ））とを示す。
【００３８】
このコネクタ接続装置８０のケーブル側コネクタ８２には、ラッチ片８１が一体に形成されている。ラッチ片８１は、嵌合方向Ａに沿って延びる挿入部８１ａと，ケーブル側コネクタ８２と挿入部８１ａとの間を連結する連結部８１ｂと、挿入部８１ａの先端部から嵌合方向Ａと略直交する方向に沿ってケーブル側コネクタ８２に対して離反する方向へ突出する被係止爪８１ｃとが一体に形成されている。さらに、挿入部８１ａには、基板側コネクタの挿入穴４２ａへの挿入方向後端側の位置から挿入部８１ａの挿入方向とは反対の方向へ突出する鍔部８１ｄ（図１１参照）が一体に形成されている。このコネクタ接続装置８０を接続状態（図１０（Ｂ）に示す状態）としたときに鍔部８１ｄが主制御基板ケース２５の外部に位置するように形成されている。これによって、露呈開口５５とケーブル側コネクタ８２との隙間を少なくすることができるので、上記実施形態と同様に不正行為を防止する効果を高めることができる。
【００３９】
このコネクタ接続装置８０を解除状態にするときには、先ず図１１（Ａ）に示すように、ラッチ片８１の被係止爪８１ｃが係止部４２に係止されているのを解除するために、鍔部８１ｄを指で摘むなどよってケーブル側コネクタ８２に対して離反する方向へ鍔部８１ｄを押圧することにより連結部８１ｂを支点にして挿入部８１ａをケーブル側コネクタ８２に対して近接する方向へラッチ片４１を撓ませる。このようにラッチ片８１を撓ませることによって、図１１（Ｂ）に示すように、被係止爪８１ｃは被係止部４２の被係止面４２ａから離れて係止が解除された状態となり、ケーブル側コネクタ８２を容易に取り外すことができる。なお、このとき、ラッチ片８１の鍔部８１ｄが主制御基板ケース２５の外部に位置しているので、ラッチ片８１を撓ませて係止解除状態とすることが容易になっている。
【図面の簡単な説明】
【００４０】
【図１】本発明を実施したパチンコ機の外観を示す斜視図である。
【図２】図１に示したパチンコ機の背面側からの外観を示す斜視図である。
【図３】主制御基板ケース、接続コード、及びコネクタ接続装置を示す斜視図である。
【図４】コネクタ接続装置の構成を示す分解斜視図である。
【図５】コネクタ接続装置をラッチ片と平行な平面に沿って切断した要部断面図である。
【図６】主制御基板ケースの箱体、及び基板側コネクタを底面側から見た斜視図である。
【図７】コネクタ接続装置を抜け止め突起部を通る平面に沿って切断した要部断面図である。
【図８】コネクタ接続装置を接続状態（Ａ）から離脱状態（Ｂ）とするときの動作をそれぞれ示す説明図である。
【図９】パチンコ機内部の電気的構成を示す機能ブロック図である。
【図１０】第１実施形態の変形例で離脱状態（Ａ）及び接続状態（Ｂ）をそれぞれ示す斜視図である。
【図１１】図１０に示すコネクタ接続装置を接続状態（Ａ）から離脱状態（Ｂ）とするときの動作をそれぞれ示す説明図である。
【図１２】従来のコネクタ接続装置の構成を示す要部断面図である。
【符号の説明】
【００４１】
２  パチンコ機
３  本体枠
４  遊技盤
１５  主制御基板（回路基板）
２５  主制御基板ケース（回路基板ケース）
３０  接続コード（電気ケーブル）
３１  コネクタ接続装置
３２  ケーブル側コネクタ
３３  基板側コネクタ
４１，８１  ラッチ片
【図１】
2006247050.tif 000003
【図２】
2006247050.tif 000004
【図３】
2006247050.tif 000005
【図４】
2006247050.tif 000006
【図５】
2006247050.tif 000007
【図６】
2006247050.tif 000008
【図７】
2006247050.tif 000009
【図８】
2006247050.tif 000010
【図９】
2006247050.tif 000011
【図１０】
2006247050.tif 000012
【図１１】
2006247050.tif 000013
【図１２】
2006247050.tif 000014